【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
通信網に接続された電子装置から状態情報を受信する状態情報受信手段と、
前記状態情報受信手段で受信した前記状態情報を出力する状態情報出力手段と、
前記電子装置との通話手段と、
前記通話手段で通話相手となる前記電子装置を指定する通話相手指定手段と、
を備え、
前記状態情報出力手段は、特定の前記電子装置の前記状態情報を出力するように割り当てられており、
前記通話相手指定手段は、特定の前記電子装置を通話相手として指定するように割り当てられており、
前記状態情報出力手段は、前記通話相手指定手段に対応付けられており、
前記状態情報は、前記電子装置の利用者が通話可能な状態であるか否かを示す情報である、
ことを特徴とする状態情報提示装置。
【請求項２】
前記状態情報出力手段には、前記電子装置を識別する識別符号が記され、
前記通話相手指定手段には、当該通話相手指定手段に対応付けられた状態情報出力手段に記された識別符号が記されている、
ことを特徴とする請求項１に記載の状態情報提示装置。
【請求項３】
前記通話相手指定手段は、前記状態情報提示装置のリモコン上に設けられている、
ことを特徴とする請求項１または２に記載の状態情報提示装置。
【請求項４】
前記通話相手指定手段により通話相手となる前記電子装置を指定すると、
前記通話手段は、前記通話相手指定手段に指定された前記電子装置に対して、通信相手からの音声および映像を受信しない呼を確立する、
ことを特徴とする請求項１乃至３のいずれかに記載の状態情報提示装置。
【請求項５】
前記電子装置と通話を行なうか否かを判定する通話判定手段をさらに備え、
前記通話相手指定手段により通話相手となる前記電子装置を指定すると、
前記通話判定手段は、前記状態情報受信手段が受信した状態情報に基づき、前記通話相手指定手段によって指定された前記電子装置と通話を行なうか否かを判定し、
前記通話手段は、前記通話判定手段が前記電子装置と通話を行なうと判定した場合に、通話を行なう、
ことを特徴とする請求項１乃至３のいずれかに記載の状態情報提示装置。
【請求項６】
前記電子装置へのメッセージ送信手段をさらに備え、
前記通話判定手段が、指定された前記電子装置と通話を行なわないと判定した場合に、前記メッセージ送信手段は、指定された前記電子装置に対するメッセージ送信を行なう、
ことを特徴とする請求項５に記載の状態情報提示装置。
【請求項７】
前記電子装置に対して、通信相手からの音声および映像を受信しない呼を確立するか否かを判定する呼びかけ判定手段をさらに備え、
前記通話相手指定手段により通話相手となる前記電子装置を指定すると、
前記呼びかけ判定手段は、前記状態情報受信手段が受信した前記状態情報に基づき、通信相手からの音声および映像を受信しない呼を確立するか否かを判定し、
前記通話手段は、前記呼びかけ判定手段が通信相手からの音声および映像を受信しない呼を確立すると判定した場合に、通信相手からの音声および映像を受信しない呼を確立する、
ことを特徴とする請求項４に記載の状態情報提示装置。
【請求項８】
外部から映像情報を入力する映像情報入力手段と、
入力した前記映像情報に基づく表示情報を出力する映像情報出力手段と、
通信網に接続された電子装置から状態情報を受信する状態情報受信手段と、
前記状態情報受信手段で受信した前記状態情報を出力する状態情報出力手段と、
を備え、
前記映像情報出力手段と独立に前記状態情報出力手段を設け、
前記状態情報出力手段は視覚的な情報を用いて前記状態情報を出力し、
前記状態情報は、前記電子装置の利用者が通話可能な状態であるか否かを示す情報である、
ことを特徴とする状態情報提示装置。
【請求項９】
前記状態情報出力手段は、特定の前記電子装置の前記状態情報を出力するように割り当てられている、
ことを特徴とする請求項８に記載の状態情報提示装置。
【請求項１０】
前記映像情報入力手段は、放送映像を入力する、
ことを特徴とする請求項８または９に記載の状態情報提示装置。
【請求項１１】
前記映像情報出力手段は、表示情報を各手段と一体に設けられている画面に表示する、
ことを特徴とする請求項８乃至１０のいずれかに記載の状態情報提示装置。
【請求項１２】
前記映像情報出力手段は、表示情報を映像信号として外部に出力する、
ことを特徴とする請求項８乃至１０のいずれかに記載の状態情報提示装置。
【請求項１３】
前記状態情報出力手段は、少なくとも１つの発光素子から構成されている、
ことを特徴とする請求項８乃至１２のいずれかに記載の状態情報提示装置。
【請求項１４】
前記状態情報出力手段は、前記発光素子を点滅させることにより前記状態情報を出力する、
ことを特徴とする請求項１３に記載の状態情報提示装置。
【請求項１５】
前記状態情報出力手段は、単位時間に前記発光素子を点滅する回数に基づき、異なる状態情報を出力する、
ことを特徴とする請求項１４に記載の状態情報提示装置。
【請求項１６】
前記状態情報出力手段は、前記発光素子を点滅する間隔に基づき、異なる前記状態情報を出力する、
ことを特徴とする請求項１４に記載の状態情報提示装置。
【請求項１７】
前記状態情報出力手段は、前記映像情報出力手段が表示情報を出力中である場合に、前記発光素子を点滅させない、
ことを特徴とする請求項１４乃至１６のいずれかに記載の状態情報提示装置。
【請求項１８】
外部から映像情報を入力する映像情報入力手段と、
入力した前記映像情報に基づく表示情報を出力する映像情報出力手段と、
通信網に接続された電子装置から状態情報を受信する状態情報受信手段と、
を備え、
前記映像情報出力手段は、前記映像情報入力手段で入力した前記映像情報に、前記状態情報受信手段で受信した前記状態情報を重ねて合成した映像情報を出力し、
前記状態情報は、前記電子装置の利用者が通話可能な状態であるか否かを示す情報である、
ことを特徴とする状態情報提示装置。
【手続補正２】
【補正対象書類名】明細書
【補正対象項目名】０００８
【補正方法】変更
【補正の内容】
【０００８】
本発明に係る情報提示装置は、通信網に接続された電子装置から状態情報を受信する状態情報受信手段と、前記状態情報受信手段で受信した前記状態情報を出力する状態情報出力手段と、前記電子装置との通話手段と、前記通話手段で通話相手となる前記電子装置を指定する通話相手指定手段とを備え、前記状態情報出力手段は、特定の前記電子装置の前記状態情報を出力するように割り当てられており、前記通話相手指定手段は、特定の前記電子装置を通話相手として指定するように割り当てられており、前記状態情報出力手段は、前記通話相手指定手段に対応付けられており、前記状態情報は、前記電子装置の利用者が通話可能な状態であるか否かを示す情報であることを特徴とする。
【手続補正３】
【補正対象書類名】明細書
【補正対象項目名】００１４
【補正方法】変更
【補正の内容】
【００１４】
前記状態情報提示装置において、前記通話相手指定手段により通話相手となる前記電子装置を指定すると、前記通話手段は、前記通話相手指定手段に指定された前記電子装置に対して、通信相手からの音声および映像を受信しない呼を確立することを特徴とする。
【手続補正４】
【補正対象書類名】明細書
【補正対象項目名】００１６
【補正方法】変更
【補正の内容】
【００１６】
前記状態情報提示装置において、前記電子装置と通話を行なうか否かを判定する通話判定手段をさらに備え、前記通話相手指定手段により通話相手となる前記電子装置を指定すると、前記通話判定手段は、前記状態情報受信手段が受信した状態情報に基づき、前記通話相手指定手段によって指定された前記電子装置と通話を行なうか否かを判定し、前記通話手段は、前記通話判定手段が前記電子装置と通話を行なうと判定した場合に、通話を行なうことを特徴とする。
【手続補正５】
【補正対象書類名】明細書
【補正対象項目名】００１８
【補正方法】変更
【補正の内容】
【００１８】
前記状態情報提示装置において、前記電子装置へのメッセージ送信手段をさらに備え、前記通話判定手段が、指定された前記電子装置と通話を行なわないと判定した場合に、前記メッセージ送信手段は、指定された前記電子装置に対するメッセージ送信を行なうことを特徴とする。
【手続補正６】
【補正対象書類名】明細書
【補正対象項目名】００２０
【補正方法】変更
【補正の内容】
【００２０】
前記状態情報提示装置において、前記電子装置に対して、通信相手からの音声および映像を受信しない呼を確立するか否かを判定する呼びかけ判定手段をさらに備え、前記通話相手指定手段により通話相手となる前記電子装置を指定すると、前記呼びかけ判定手段は、前記状態情報受信手段が受信した前記状態情報に基づき、通信相手からの音声および映像を受信しない呼を確立するか否かを判定し、前記通話手段は、前記呼びかけ判定手段が通信相手からの音声および映像を受信しない呼を確立すると判定した場合に、通信相手からの音声および映像を受信しない呼を確立することを特徴とする。
【手続補正７】
【補正対象書類名】明細書
【補正対象項目名】００２２
【補正方法】変更
【補正の内容】
【００２２】
また、本発明に係る状態情報提示装置は、外部から映像情報を入力する映像情報入力手段と、入力した前記映像情報に基づく表示情報を出力する映像情報出力手段と、通信網に接続された電子装置から状態情報を受信する状態情報受信手段と、前記状態情報受信手段で受信した前記状態情報を出力する状態情報出力手段とを備え、前記映像情報出力手段と独立に前記状態情報出力手段を設け、前記状態情報出力手段は視覚的な情報を用いて前記状態情報を出力し、前記状態情報は、前記電子装置の利用者が通話可能な状態であるか否かを示す情報であることを特徴とする。
【手続補正８】
【補正対象書類名】明細書
【補正対象項目名】００２４
【補正方法】変更
【補正の内容】
【００２４】
前記状態情報提示装置において、前記状態情報出力手段は、特定の前記電子装置の前記状態情報を出力するように割り当てられていることを特徴とする。
【手続補正９】
【補正対象書類名】明細書
【補正対象項目名】００２８
【補正方法】変更
【補正の内容】
【００２８】
前記状態情報提示装置において、前記映像情報出力手段は、表示情報を各手段と一体に設けられている画面に表示することを特徴とする。
【手続補正１０】
【補正対象書類名】明細書
【補正対象項目名】００３３
【補正方法】変更
【補正の内容】
【００３３】
また、前記状態情報提示装置において、前記状態情報出力手段は、前記発光素子を点滅させることにより前記状態情報を出力することを特徴とする。
【手続補正１１】
【補正対象書類名】明細書
【補正対象項目名】００３４
【補正方法】変更
【補正の内容】
【００３４】
また、前記状態情報提示装置において、前記状態情報出力手段は、単位時間に前記発光素子を点滅する回数に基づき、異なる状態情報を出力することを特徴とする。
【手続補正１２】
【補正対象書類名】明細書
【補正対象項目名】００３５
【補正方法】変更
【補正の内容】
【００３５】
また、前記状態情報提示装置において、前記状態情報出力手段は、前記発光素子を点滅する間隔に基づき、異なる前記状態情報を出力することを特徴とする。
【手続補正１３】
【補正対象書類名】明細書
【補正対象項目名】００３６
【補正方法】変更
【補正の内容】
【００３６】
また、前記状態情報提示装置において、前記状態情報出力手段は、前記映像情報出力手段が表示情報を出力中である場合に、前記発光素子を点滅させないことを特徴とする。
【手続補正１４】
【補正対象書類名】明細書
【補正対象項目名】００３８
【補正方法】変更
【補正の内容】
【００３８】
また、本発明に係る状態情報提示装置は、外部から映像情報を入力する映像情報入力手段と、入力した前記映像情報に基づく表示情報を出力する映像情報出力手段と、通信網に接続された電子装置から状態情報を受信する状態情報受信手段とを備え、前記映像情報出力手段は、前記映像情報入力手段で入力した前記映像情報に、前記状態情報受信手段で受信した前記状態情報を重ねて合成した映像情報を出力し、前記状態情報は、前記電子装置の利用者が通話可能な状態であるか否かを示す情報であることを特徴とする。